(57)【特許請求の範囲】
【請求項１】
既設定された周波数帯域に対応する少なくとも一つのリソースユニット（ＲＵ）を使用する無線ＬＡＮ（ＷＬＡＮ）システムにおいて信号を送信する方法であって、前記方法は、
それぞれ第１、第２、第３、及び第４の周波数帯域上で送信される第１、第２、第３、及び第４のデータフィールドを含むｐｈｙｓｉｃａｌ  ｌａｙｅｒ（ＰＨＹ）  ｐｒｏｔｏｃｏｌ  ｄａｔａ  ｕｎｉｔ（ＰＰＤＵ）を構成することと、
周波数リソース上で前記ＰＰＤＵを送信することと
を含み、
前記第１及び第２の周波数帯域は、前記周波数リソースの下位周波数帯域に属し、前記第３及び第４の周波数帯域は、前記周波数リソースの上位周波数帯域に属し、
前記下位周波数帯域において前記第１の周波数帯域は前記第２の周波数帯域に連続しており、前記上位周波数帯域において前記第３の周波数帯域は前記第４の周波数帯域に連続しており、
前記ＰＰＤＵは、前記第１の周波数帯域に対応する第１のシグナルフィールド及び前記第２の周波数帯域に対応する第２のシグナルフィールドを含み、
前記第１のシグナルフィールドは、前記第１のデータフィールド及び前記第３のデータフィールドに割り当てられた少なくとも一つのステーション（ＳＴＡ）に関する識別情報を含み、前記第１のデータフィールド及び前記第３のデータフィールドのための少なくとも一つのＲＵに関する割当情報をさらに含み、
前記第２のシグナルフィールドは、前記第２のデータフィールド及び前記第４のデータフィールドに割り当てられた少なくとも一つのＳＴＡに関する識別情報を含み、前記第２のデータフィールド及び前記第４のデータフィールドのための少なくとも一つのＲＵに関する割当情報をさらに含み、
前記ＰＰＤＵは、前記第１のシグナルフィールドが複製される第３のシグナルフィールドを含み、前記第３のシグナルフィールドは、前記第３の周波数帯域に対応し、
前記ＰＰＤＵは、前記第２のシグナルフィールドが複製される第４のシグナルフィールドを含み、前記第４のシグナルフィールドは、前記第４の周波数帯域に対応する、方法。
【請求項２】
前記第１のシグナルフィールドは、前記第１のデータフィールド及び前記第３のデータフィールドに割り当てられた少なくとも一つのＳＴＡのａｓｓｏｃｉａｔｉｏｎ  ｉｄｅｎｔｉｆｉｅｒ（ＡＩＤ）を指示する、請求項１に記載の方法。
【請求項３】
前記第１のシグナルフィールドは、前記第１のデータフィールド及び前記第３のデータフィールドのための少なくとも一つのＲＵに関する割当情報を指示するルックアップテーブルを含む、請求項１に記載の方法。
【請求項４】
前記第１のシグナルフィールドは、ユーザ−共通フィールド及びユーザ−特定フィールドを含み、
前記ユーザ−共通フィールドは、前記第１のデータフィールド及び前記第３のデータフィールドのための少なくとも一つのＲＵに関する割当情報を含み、
前記ユーザ−特定フィールドは、前記第１のデータフィールド及び前記第３のデータフィールドに割り当てられた少なくとも一つのＳＴＡに関する識別情報を含む、請求項１に記載の方法。
【請求項５】
前記周波数リソースは、８０ＭＨｚ帯域を含み、
前記第１乃至第４の周波数帯域の各々は、２０ＭＨｚ帯域に対応する、請求項１に記載の方法。
【請求項６】
既設定された周波数帯域に対応する少なくとも一つのリソースユニット（ＲＵ）を使用する無線ＬＡＮ（ＷＬＡＮ）システムにおける装置であって、前記装置は、
無線信号を送信するように構成されたｒａｄｉｏ  ｆｒｅｑｕｅｎｃｙ（ＲＦ）ユニットと、
前記ＲＦユニットに動作可能に連結されたプロセッサと
を含み、
前記プロセッサは、
それぞれ第１、第２、第３、及び第４の周波数帯域上で送信される第１、第２、第３、及び第４のデータフィールドを含むｐｈｙｓｉｃａｌ  ｌａｙｅｒ（ＰＨＹ）  ｐｒｏｔｏｃｏｌ  ｄａｔａ  ｕｎｉｔ（ＰＰＤＵ）を構成することと、
周波数リソース上で前記ＰＰＤＵを送信することと
を行うように構成され、
前記第１及び第２の周波数帯域は、前記周波数リソースの下位周波数帯域に属し、前記第３及び第４の周波数帯域は、前記周波数リソースの上位周波数帯域に属し、
前記下位周波数帯域において前記第１の周波数帯域は前記第２の周波数帯域に連続しており、前記上位周波数帯域において前記第３の周波数帯域は前記第４の周波数帯域に連続しており、
前記ＰＰＤＵは、前記第１の周波数帯域に対応する第１のシグナルフィールド及び前記第２の周波数帯域に対応する第２のシグナルフィールドを含み、
前記第１のシグナルフィールドは、前記第１のデータフィールド及び前記第３のデータフィールドに割り当てられた少なくとも一つのステーション（ＳＴＡ）に関する識別情報を含み、前記第１のデータフィールド及び前記第３のデータフィールドのための少なくとも一つのＲＵに関する割当情報をさらに含み、
前記第２のシグナルフィールドは、前記第２のデータフィールド及び前記第４のデータフィールドに割り当てられた少なくとも一つのＳＴＡに関する識別情報を含み、前記第２のデータフィールド及び前記第４のデータフィールドのための少なくとも一つのＲＵに関する割当情報をさらに含み、
前記ＰＰＤＵは、前記第１のシグナルフィールドが複製される第３のシグナルフィールドを含み、前記第３のシグナルフィールドは、前記第３の周波数帯域に対応し、
前記ＰＰＤＵは、前記第２のシグナルフィールドが複製される第４のシグナルフィールドを含み、前記第４のシグナルフィールドは、前記第４の周波数帯域に対応する、装置。
【請求項７】
前記第１のシグナルフィールドは、前記第１のデータフィールド及び前記第３のデータフィールドに割り当てられた少なくとも一つのＳＴＡのａｓｓｏｃｉａｔｉｏｎ  ｉｄｅｎｔｉｆｉｅｒ（ＡＩＤ）を指示する、請求項６に記載の装置。
【請求項８】
前記第１のシグナルフィールドは、前記第１のデータフィールド及び前記第３のデータフィールドのための少なくとも一つのＲＵに関する割当情報を指示するルックアップテーブルを含む、請求項６に記載の装置。
【請求項９】
前記第１のシグナルフィールドは、ユーザ−共通フィールド及びユーザ−特定フィールドを含み、
前記ユーザ−共通フィールドは、前記第１のデータフィールド及び前記第３のデータフィールドのための少なくとも一つのＲＵに関する割当情報を含み、
前記ユーザ−特定フィールドは、前記第１のデータフィールド及び前記第３のデータフィールドに割り当てられた少なくとも一つのＳＴＡに関する識別情報を含む、請求項６に記載の装置。
【請求項１０】
前記周波数リソースは、８０ＭＨｚ帯域を含み、
前記第１乃至第４の周波数帯域の各々は、２０ＭＨｚ帯域に対応する、請求項６に記載の装置。
【発明の詳細な説明】
【技術分野】
【０００１】
本明細書は、無線通信におけるデータを送受信する技法に関し、より詳しくは、無線ＬＡＮ（Ｗｉｒｅｌｅｓｓ  ＬＡＮ）システムにおけるリソースユニットに対する情報を含む制御フィールドを構成する方法及び装置に関する。
【背景技術】
【０００２】
次世代ＷＬＡＮ（ｗｉｒｅｌｅｓｓ  ｌｏｃａｌ  ａｒｅａ  ｎｅｔｗｏｒｋ）のための議論が進行している。次世代ＷＬＡＮでは、１）２．４ＧＨｚ及び５ＧＨｚ帯域でＩＥＥＥ（ｉｎｓｔｉｔｕｔｅ  ｏｆ  ｅｌｅｃｔｒｏｎｉｃ  ａｎｄ  ｅｌｅｃｔｒｏｎｉｃｓ  ｅｎｇｉｎｅｅｒｓ）８０２．１１ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトラム効率性（ｓｐｅｃｔｒｕｍ  ｅｆｆｉｃｉｅｎｃｙ）と領域スループット（ａｒｅａ  ｔｈｒｏｕｇｈｐｕｔ）を高めること、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際室内環境及び室外環境で性能を向上させることを目標とする。
【０００３】
次世代ＷＬＡＮで主に考慮される環境は、ＡＰ（ａｃｃｅｓｓ  ｐｏｉｎｔ）とＳＴＡ（ｓｔａｔｉｏｎ）が多い密集環境であり、このような密集環境でスペクトラム効率（ｓｐｅｃｔｒｕｍ  ｅｆｆｉｃｉｅｎｃｙ）と空間スループット（ａｒｅａ  ｔｈｒｏｕｇｈｐｕｔ）に対する改善が論議される。また、次世代ＷＬＡＮでは室内環境だけでなく、既存ＷＬＡＮであまり考慮されていなかった室外環境での実質的な性能改善に関心を有する。
【０００４】
具体的に、次世代ＷＬＡＮでは無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きくて、該当シナリオに基づいてＡＰとＳＴＡが多い密集環境でのシステム性能向上に対する議論が進行している。
【０００５】
また、次世代ＷＬＡＮでは一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そしてセルラーオフローディングなどに対する議論が活発になると予想される。このような次世代ＷＬＡＮの方向性は、次世代ＷＬＡＮが益々移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信とＷＬＡＮ技術が共に論議されている状況を考慮してみる時、次世代ＷＬＡＮと移動通信の技術的及び事業的な融合は、一層活発になると予測される。
【発明の概要】
【発明が解決しようとする課題】
【０００６】
本明細書は、無線ＬＡＮシステムにおけるリソースユニットに対する情報を含む制御フィールドを提案する。
【０００７】
本明細書は、複数のチャネルまたは周波数帯域に基づいて構成される制御フィールドを提案する。
【課題を解決するための手段】
【０００８】
本明細書による方法は、既設定された周波数帯域に対応する少なくとも一つのＲＵを使用する無線ＬＡＮシステムに適用される。
【０００９】
本明細書による方法は、第１乃至第４の周波数帯域に対応される第１乃至第４のデータフィールドを含むＰＰＤＵを構成するステップ；及び、前記ＰＰＤＵを送信するステップ；を含む。
【００１０】
前記ＰＰＤＵは、前記第１の周波数帯域に対応される第１のシグナルフィールド及び前記第２の周波数帯域に対応する第２のシグナルフィールドを含み、前記第１のシグナルフィールドは、前記第１のデータフィールド及び前記第３のデータフィールドに割り当てられる少なくとも一つのＳＴＡに対する識別情報を含み、また、前記第１のデータフィールド及び前記第３のデータフィールドのための少なくとも一つのＲＵに対する割当情報をさらに含む。
【００１１】
また、前記第２のシグナルフィールドは、前記第２のデータフィールド及び前記第４のデータフィールドに割り当てられる少なくとも一つのＳＴＡに対する識別情報を含み、また、第２のデータフィールド及び前記第４のデータフィールドのための少なくとも一つのＲＵに対する割当情報をさらに含む。
【００１２】
前記ＰＰＤＵは、前記第１のシグナルフィールドが複製された第３のシグナルフィールドを含み、前記第３のシグナルフィールドは、前記第３の周波数帯域に対応する。
【００１３】
前記ＰＰＤＵは、前記第２のシグナルフィールドが複製された第４のシグナルフィールドを含み、前記第４のシグナルフィールドは、前記第４の周波数帯域に対応する。
【００１４】
前記方法は、無線ＬＡＮシステムのＡＰやｎｏｎ−ＡＰステーションで適用される。
例えば、本願は以下の項目を提供する。
（項目１）
既設定された周波数帯域に対応する少なくとも一つのＲＵを使用する無線ＬＡＮシステムにおいて、
第１乃至第４の周波数帯域に対応される第１乃至第４のデータフィールドを含むＰＰＤＵを構成するステップ；及び、
前記ＰＰＤＵを送信するステップ；
を含み、
前記ＰＰＤＵは、前記第１の周波数帯域に対応される第１のシグナルフィールド及び前記第２の周波数帯域に対応する第２のシグナルフィールドを含み、
前記第１のシグナルフィールドは、前記第１のデータフィールド及び前記第３のデータフィールドに割り当てられる少なくとも一つのＳＴＡに対する識別情報を含み、また、前記第１のデータフィールド及び前記第３のデータフィールドのための少なくとも一つのＲＵに対する割当情報をさらに含み、
前記第２のシグナルフィールドは、前記第２のデータフィールド及び前記第４のデータフィールドに割り当てられる少なくとも一つのＳＴＡに対する識別情報を含み、また、第２のデータフィールド及び前記第４のデータフィールドのための少なくとも一つのＲＵに対する割当情報をさらに含み、
前記ＰＰＤＵは、前記第１のシグナルフィールドが複製された第３のシグナルフィールドを含み、前記第３のシグナルフィールドは、前記第３の周波数帯域に対応し、
前記ＰＰＤＵは、前記第２のシグナルフィールドが複製された第４のシグナルフィールドを含み、前記第４のシグナルフィールドは、前記第４の周波数帯域に対応する
方法。
（項目２）
前記第１のシグナルフィールドは、前記第１のデータフィールド及び前記第３のデータフィールドに割り当てられる少なくとも一つのＳＴＡのＡＩＤを指示する
項目１に記載の方法。
（項目３）
前記第１のシグナルフィールドは、前記第１のデータフィールド及び前記第３のデータフィールドのための少なくとも一つのＲＵに対する割当情報を指示するルックアップ（ｌｏｏｋ−ｕｐ）テーブルを
含む
項目１に記載の方法。
（項目４）
前記第１のシグナルフィールドは、ユーザ−共通（ｕｓｅｒ  ｃｏｍｍｏｎ）フィールド及びユーザ−特定（ｕｓｅｒ  ｓｐｅｃｉｆｉｃ）フィールドを含み、
前記ユーザ−共通フィールドは、前記第１のデータフィールド及び前記第３のデータフィールドのための少なくとも一つのＲＵに対する割当情報を含み、
前記ユーザ−特定フィールドは、前記第１のデータフィールド及び前記第３のデータフィールドに割り当てられる少なくとも一つのＳＴＡに対する識別情報を含む
項目１に記載の方法。
（項目５）
前記ＰＰＤＵは、８０ＭＨｚ帯域を介して送信され、
前記第１乃至第４の周波数帯域の各々は、２０ＭＨｚ帯域に対応される
項目１に記載の方法。
（項目６）
既設定された周波数帯域に対応する少なくとも一つのＲＵを使用する無線ＬＡＮシステムにおいて、
無線信号を送信するＲＦユニット；及び、
前記ＲＦユニットに連結されるプロセッサ；を含み、
前記プロセッサは、
第１乃至第４の周波数帯域に対応される第１乃至第４のデータフィールドを含むＰＰＤＵを構成し、
前記ＰＰＤＵを送信するように設定され、
前記ＰＰＤＵは、前記第１の周波数帯域に対応される第１のシグナルフィールド及び前記第２の周波数帯域に対応する第２のシグナルフィールドを含み、
前記第１のシグナルフィールドは、前記第１のデータフィールド及び前記第３のデータフィールドに割り当てられる少なくとも一つのＳＴＡに対する識別情報を含み、また、前記第１のデータフィールド及び前記第３のデータフィールドのための少なくとも一つのＲＵに対する割当情報をさらに含み、
前記第２のシグナルフィールドは、前記第２のデータフィールド及び前記第４のデータフィールドに割り当てられる少なくとも一つのＳＴＡに対する識別情報を含み、また、第２のデータフィールド及び前記第４のデータフィールドのための少なくとも一つのＲＵに対する割当情報をさらに含み、
前記ＰＰＤＵは、前記第１のシグナルフィールドが複製された第３のシグナルフィールドを含み、前記第３のシグナルフィールドは、前記第３の周波数帯域に対応し、
前記ＰＰＤＵは、前記第２のシグナルフィールドが複製された第４のシグナルフィールドを含み、前記第４のシグナルフィールドは、前記第４の周波数帯域に対応する
装置。
（項目７）
前記第１のシグナルフィールドは、前記第１のデータフィールド及び前記第３のデータフィールドに割り当てられる少なくとも一つのＳＴＡのＡＩＤを指示する
項目６に記載の装置。
（項目８）
前記第１のシグナルフィールドは、前記第１のデータフィールド及び前記第３のデータフィールドのための少なくとも一つのＲＵに対する割当情報を指示するルックアップ（ｌｏｏｋ−ｕｐ）テーブルを
含む
項目６に記載の装置。
（項目９）
前記第１のシグナルフィールドは、ユーザ−共通（ｕｓｅｒ  ｃｏｍｍｏｎ）フィールド及びユーザ−特定（ｕｓｅｒ  ｓｐｅｃｉｆｉｃ）フィールドを含み、
前記ユーザ−共通フィールドは、前記第１のデータフィールド及び前記第３のデータフィールドのための少なくとも一つのＲＵに対する割当情報を含み、
前記ユーザ−特定フィールドは、前記第１のデータフィールド及び前記第３のデータフィールドに割り当てられる少なくとも一つのＳＴＡに対する識別情報を含む
項目６に記載の装置。
（項目１０）
前記ＰＰＤＵは、８０ＭＨｚ帯域を介して送信され、
前記第１乃至第４の周波数帯域の各々は、２０ＭＨｚ帯域に対応される
項目６に記載の装置。
【発明の効果】
【００１５】
本明細書の一例は、リソースユニットに対する情報を含む改善された制御フィールドを提案する。
【００１６】
本明細書による制御フィールドは、複数のチャネルまたは周波数帯域に基づいて構成されることができる。
【図面の簡単な説明】
【００１７】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】ＩＥＥＥ規格で使われるＰＰＤＵの一例を示す。
【図３】ＨＥ  ＰＰＤＵの一例を示す。
【図４】２０ＭＨｚ帯域上で使われるリソースユニット（ＲＵ）の配置を示す。
【図５】４０ＭＨｚ帯域上で使われるリソースユニット（ＲＵ）の配置を示す。
【図６】８０ＭＨｚ帯域上で使われるリソースユニット（ＲＵ）の配置を示す。
【図７】ＨＥ−ＰＰＤＵの他の一例を示す。
【図８】本実施例によるＨＥ−ＳＩＧ−Ｂの一例を示すブロック図である。
【図９】トリガフレームの一例を示す。
【図１０】個別ユーザ情報（ｐｅｒ  ｕｓｅｒ  ｉｎｆｏｒｍａｔｉｏｎ）フィールドに含まれるサブフィールドの一例を示す。
【図１１】本実施例によって構成された制御フィールド及びデータフィールドの一例を示すブロック図である。
【図１２】４０ＭＨｚ送信のための本実施例の一例を示す。
【図１３】本明細書が８０ＭＨｚ送信に適用された一例を示す。
【図１４】本明細書によって制御信号を変形した一例を示す。
【図１５】本明細書によって制御信号を変形した追加的な一例を示す。
【図１６】本明細書によって制御信号及び周波数マッピング関係を変形した一例を示す。
【図１７】本明細書によって制御信号及び周波数マッピング関係を変形した一例を示す。
【図１８】本明細書によって制御信号及び周波数マッピング関係の追加的な一例を示す。
【図１９】本実施例によるＳＩＧ−Ａ、ＳＩＧ−Ｂ及びデータフィールドの関係を示す。
【図２０】８０ＭＨｚ送信のために使われるＳＩＧ−Ｂの一例を示す。
【図２１】本実施例が適用されることができる無線装置を示すブロック図である。
【発明を実施するための形態】
【００１８】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１９】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャＢＳＳ（ｂａｓｉｃ  ｓｅｒｖｉｃｅ  ｓｅｔ）の構造を示す。
【００２０】
図１の上段を参照すると、無線ＬＡＮシステムは、一つまたはそれ以上のインフラストラクチャＢＳＳ１００、１０５（以下、ＢＳＳ）を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００２１】
ＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００２２】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００２３】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００２４】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ、ＩＢＳＳ）と定義する。
【００２５】
図１の下段は、ＩＢＳＳを示す概念図である。
【００２６】
図１の下段を参照すると、ＩＢＳＳは、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−４、１５５−５は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−４、１５５−５は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２７】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２８】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２９】
図２は、ＩＥＥＥ規格で使われるＰＰＤＵの一例を示す。
【００３０】
図示されたように、ＩＥＥＥ  ａ／ｇ／ｎ／ａｃなどの規格では多様な形態のＰＰＤＵ（ＰＨＹ  ｐｒｏｔｏｃｏｌ  ｄａｔａ  ｕｎｉｔ）が使われた。具体的に、ＬＴＦ、ＳＴＦフィールドはトレーニング信号を含み、ＳＩＧ−Ａ、ＳＩＧ−Ｂには受信ステーションのための制御情報が含まれ、データフィールドにはＰＳＤＵに相応するユーザデータが含まれた。
【００３１】
本実施例は、ＰＰＤＵのデータフィールドのために使われるシグナル（または、制御情報フィールド）に対する改善された技法を提案する。本実施例で提案するシグナルは、ＩＥＥＥ８０２．１１ａｘ規格によるＨＥ  ＰＰＤＵ（ｈｉｇｈ  ｅｆｆｉｃｉｅｎｃｙ  ＰＰＤＵ）上に適用されることができる。即ち、本実施例で改善するシグナルは、ＨＥ  ＰＰＤＵに含まれるＨＥ−ＳＩＧ−Ａ及び／またはＨＥ−ＳＩＧ−Ｂである。ＨＥ−ＳＩＧ−Ａ及びＨＥ−ＳＩＧ−Ｂの各々は、ＳＩＧ−Ａ、ＳＩＧ−Ｂで表示されることもできる。しかし、本実施例が提案する改善されたシグナルが必ずＨＥ−ＳＩＧ−Ａ及び／またはＨＥ−ＳＩＧ−Ｂ規格に制限されるものではなく、ユーザデータを伝達する無線通信システムで制御情報を含む多様な名称の制御／データフィールドに適用可能である。
【００３２】
図３は、ＨＥ  ＰＰＤＵの一例を示す。
【００３３】
本実施例で提案する制御情報フィールドは、図３に示すようなＨＥ  ＰＰＤＵ内に含まれるＨＥ−ＳＩＧ−Ｂである。図３によるＨＥ  ＰＰＤＵは、マルチユーザのためのＰＰＤＵの一例であり、ＨＥ−ＳＩＧ−Ｂは、マルチユーザのための場合にのみ含まれ、単一ユーザのためのＰＰＤＵには該当ＨＥ−ＳＩＧ−Ｂが省略されることができる。
【００３４】
図示されたように、マルチユーザ（Ｍｕｌｔｉｐｌｅ  Ｕｓｅｒ；ＭＵ）のためのＨＥ−ＰＰＤＵは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ−Ａ（ｈｉｇｈ  ｅｆｆｉｃｉｅｎｃｙ−ｓｉｇｎａｌ  Ａ）、ＨＥ−ＳＩＧ−Ｂ（ｈｉｇｈ  ｅｆｆｉｃｉｅｎｃｙ−ｓｉｇｎａｌ−Ｂ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、データフィールド（または、ＭＡＣペイロード）及びＰＥ（Ｐａｃｋｅｔ  Ｅｘｔｅｎｓｉｏｎ）フィールドを含むことができる。各々のフィールドは、図示された時間区間（即ち、４または８μｓ等）の間に送信されることができる。
【００３５】
図３の各フィールドに対する詳細な説明は、後述する。
【００３６】
図４は、２０ＭＨｚ帯域上で使われるリソースユニット（ＲＵ）の配置を示す。
【００３７】
図４に示すように、互いに異なる個数のトーン（即ち、サブキャリア）に対応されるリソースユニット（Ｒｅｓｏｕｒｃｅ  Ｕｎｉｔ；ＲＵ）が使われてＨＥ−ＰＰＤＵの一部フィールドを構成することができる。例えば、ＨＥ−ＳＴＦ、ＨＥ−ＬＴＦ、データフィールドに対して図示されたＲＵ単位でリソースが割り当てられることができる。
【００３８】
図４の最上段に示すように、２６−ユニット（即ち、２６個のトーンに相応するユニット）が配置されることができる。２０ＭＨｚ帯域の最左側（ｌｅｆｔｍｏｓｔ）帯域には６個のトーンがガード（Ｇｕａｒｄ）帯域として使われ、２０ＭＨｚ帯域の最右側（ｒｉｇｈｔｍｏｓｔ）帯域には５個のトーンがガード帯域として使われることができる。また、中心帯域、即ち、ＤＣ帯域には７個のＤＣトーンが挿入され、ＤＣ帯域の左右側に各１３個のトーンに相応する２６−ユニットが存在できる。また、その他の帯域には２６−ユニット、５２−ユニット、１０６−ユニットが割り当てられることができる。各ユニットは、受信ステーション、即ち、ユーザのために割り当てられることができる。
【００３９】
一方、図４のＲＵ配置は、マルチユーザ（ＭＵ）のための状況だけでなく、単一ユーザ（ＳＵ）のための状況でも活用され、この場合には図４の最下段に示すように、１個の２４２−ユニットを使用することが可能であり、この場合には３個のＤＣトーンが挿入されることができる。
【００４０】
図４の一例では多様な大きさのＲＵ、即ち、２６−ＲＵ、５２−ＲＵ、１０６−ＲＵ、２４２−ＲＵなどが提案され、このようなＲＵの具体的な大きさは、拡張または増加できる。したがって、本実施例は、各ＲＵの具体的な大きさ（即ち、相応するトーンの個数）が制限されるものではない。
【００４１】
図５は、４０ＭＨｚ帯域上で使われるリソースユニット（ＲＵ）の配置を示す。
【００４２】
図４の一例で多様な大きさのＲＵが使われたことと同様に、図５の一例も２６−ＲＵ、５２−ＲＵ、１０６−ＲＵ、２４２−ＲＵ、４８４−ＲＵなどが使われることができる。また、中心周波数には５個のＤＣトーンが挿入されることができ、４０ＭＨｚ帯域の最左側（ｌｅｆｔｍｏｓｔ）帯域には１２個のトーンがガード（Ｇｕａｒｄ）帯域として使われ、４０ＭＨｚ帯域の最右側（ｒｉｇｈｔｍｏｓｔ）帯域には１１個のトーンがガード帯域として使われることができる。
【００４３】
また、図示されたように、単一ユーザのために使われる場合、４８４−ＲＵが使われることができる。一方、ＲＵの具体的な個数が変更されることができるという点は、図４の一例と同じである。
【００４４】
図６は、８０ＭＨｚ帯域上で使われるリソースユニット（ＲＵ）の配置を示す。
【００４５】
図４及び図５の一例で多様な大きさのＲＵが使われたことと同様に、図６の一例も２６−ＲＵ、５２−ＲＵ、１０６−ＲＵ、２４２−ＲＵ、４８４−ＲＵ、９９６−ＲＵなどが使われることができる。また、中心周波数には７個または５個のＤＣトーンが挿入されることができ、８０ＭＨｚ帯域の最左側（ｌｅｆｔｍｏｓｔ）帯域には１２個のトーンがガード（Ｇｕａｒｄ）帯域として使われ、８０ＭＨｚ帯域の最右側（ｒｉｇｈｔｍｏｓｔ）帯域には１１個のトーンがガード帯域として使われることができる。また、ＤＣ帯域左右に位置する各々１３個のトーンを使用した２６−ＲＵを使用することができる。
【００４６】
また、図示されたように、単一ユーザのために使われる場合、９９６−ＲＵが使われることができる。
【００４７】
一方、ＲＵの具体的な個数が変更されることができるという点は、図４及び図５の一例と同じである。
【００４８】
図７は、ＨＥ−ＰＰＤＵの他の一例を示す。
【００４９】
図示された図７のブロックは、図３のＨＥ−ＰＰＤＵブロックを周波数側面で説明する他の一例である。
【００５０】
図示されたＬ−ＳＴＦ７００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ７００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【００５１】
Ｌ−ＬＴＦ７１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ７１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【００５２】
Ｌ−ＳＩＧ７２０は、制御情報を送信するために使われることができる。Ｌ−ＳＩＧ７２０は、データ送信率（ｒａｔｅ）、データ長さ（ｌｅｎｇｔｈ）に対する情報を含むことができる。また、Ｌ−ＳＩＧ７２０は、繰り返して送信されることができる。即ち、Ｌ−ＳＩＧ７２０が繰り返されるフォーマット（例えば、Ｒ−ＬＳＩＧとも呼ばれる）で構成されることができる。
【００５３】
ＨＥ−ＳＩＧ−Ａ７３０は、受信ステーションに共通する制御情報を含むことができる。
【００５４】
具体的に、ＨＥ−ＳＩＧ−Ａ７３０は、１）ＤＬ／ＵＬ指示子、２）ＢＳＳの指示子であるＢＳＳカラー（ｃｏｌｏｒ）フィールド、３）現行ＴＸＯＰ区間の残余時間を指示するフィールド、４）２０、４０、８０、１６０、８０＋８０ＭＨｚ可否を指示する帯域幅フィールド、５）ＨＥ−ＳＩＧ−Ｂに適用されるＭＣＳ技法を指示するフィールド、６）ＨＥ−ＳＩＧ−ＢがＭＣＳのためにデュアルサブキャリアモジュレーション（ｄｕａｌ  ｓｕｂｃａｒｒｉｅｒ  ｍｏｄｕｌａｔｉｏｎ）技法によりモジュレーションされるかに対する指示フィールド、７）ＨＥ−ＳＩＧ−Ｂのために使われるシンボルの個数を指示するフィールド、８）ＨＥ−ＳＩＧ−Ｂが全帯域にわたって生成されるかどうかを指示するフィールド、９）ＨＥ−ＬＴＦのシンボルの個数を指示するフィールド、１０）ＨＥ−ＬＴＦの長さ及びＣＰ長さを指示するフィールド、１１）ＬＤＰＣコーディングのために追加のＯＦＤＭシンボルが存在するかを指示するフィールド、１２）ＰＥ（Ｐａｃｋｅｔ  Ｅｘｔｅｎｓｉｏｎ）に対する制御情報を指示するフィールド、１３）ＨＥ−ＳＩＧ−ＡのＣＲＣフィールドに対する情報を指示するフィールドなどに対する情報を含むことができる。このようなＨＥ−ＳＩＧ−Ａの具体的なフィールドは、追加され、または一部が省略されることができる。また、ＨＥ−ＳＩＧ−Ａがマルチユーザ（ＭＵ）環境でないその他の環境では一部フィールドが追加され、または省略されることができる。
【００５５】
ＨＥ−ＳＩＧ−Ｂ７４０は、前述したようにマルチユーザ（ＭＵ）のためのＰＰＤＵである場合にのみ含まれることができる。基本的に、ＨＥ−ＳＩＧ−Ａ７３０またはＨＥ−ＳＩＧ−Ｂ７４０は、少なくとも一つの受信ＳＴＡに対するリソース割当情報（または、仮想リソース割当情報）を含むことができる。
【００５６】
図８は、本実施例に係るＨＥ−ＳＩＧ−Ｂの一例を示すブロック図である。
【００５７】
図示されたように、ＨＥ−ＳＩＧ−Ｂフィールドは、最も前方部に共通フィールドを含み、該当共通フィールドは、その後に後続するフィールドと分離してエンコーディングすることが可能である。即ち、図８に示すように、ＨＥ−ＳＩＧ−Ｂフィールドは、共通制御情報を含む共通フィールドと、ユーザ−特定（ｕｓｅｒ−ｓｐｅｃｉｆｉｃ）制御情報を含むユーザ−特定フィールドと、を含むことができる。その場合、共通フィールドは、対応されるＣＲＣフィールドなどを含み、一つのＢＣＣブロックでコーディングされることができる。以後に後続するユーザ−特定フィールドは、図示されたように、２名のユーザ（２ｕｓｅｒｓ）のための“ユーザ−特徴フィールド”及びそれに対応されるＣＲＣフィールドなどを含んで一つのＢＣＣブロックでコーディングされることができる。
【００５８】
ＭＵ  ＰＰＤＵ上でＨＥ−ＳＩＧ−Ｂ７４０の以前フィールドは、デュプリケートされた形態で送信されることができる。ＨＥ−ＳＩＧ−Ｂ７４０の場合、一部の周波数帯域（例えば、第４の周波数帯域）で送信されるＨＥ−ＳＩＧ−Ｂ７４０は、該当周波数帯域（即ち、第４の周波数帯域）のデータフィールド及び該当周波数帯域を除外した他の周波数帯域（例えば、第２の周波数帯域）のデータフィールドのための制御情報も含むことができる。また、特定周波数帯域（例えば、第２の周波数帯域）のＨＥ−ＳＩＧ−Ｂ７４０は、他の周波数帯域（例えば、第４の周波数帯域）のＨＥ−ＳＩＧ−Ｂ７４０をデュプリケートしたフォーマットである。または、ＨＥ−ＳＩＧ−Ｂ７４０は、全体送信リソース上でエンコーディングされた形態で送信されることができる。ＨＥ−ＳＩＧ−Ｂ７４０以後のフィールドは、ＰＰＤＵを受信する受信ＳＴＡの各々のための個別情報を含むことができる。
【００５９】
ＨＥ−ＳＴＦ７５０は、ＭＩＭＯ（ｍｕｌｔｉｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【００６０】
ＨＥ−ＬＴＦ７６０は、ＭＩＭＯ環境またはＯＦＤＭＡ環境でチャネルを推定するために使われることができる。
【００６１】
ＨＥ−ＳＴＦ７５０及びＨＥ−ＳＴＦ７５０以後のフィールドに適用されるＦＦＴ／ＩＦＦＴの大きさとＨＥ−ＳＴＦ７５０以前のフィールドに適用されるＦＦＴ／ＩＦＦＴの大きさは、互いに異なる。例えば、ＨＥ−ＳＴＦ７５０及びＨＥ−ＳＴＦ７５０以後のフィールドに適用されるＦＦＴ／ＩＦＦＴの大きさは、ＨＥ−ＳＴＦ７５０以前のフィールドに適用されるＩＦＦＴの大きさより４倍大きい。
【００６２】
例えば、図７のＰＰＤＵ上のＬ−ＳＴＦ７００、Ｌ−ＬＴＦ７１０、Ｌ−ＳＩＧ７２０、ＨＥ−ＳＩＧ−Ａ７３０、ＨＥ−ＳＩＧ−Ｂ７４０のうち少なくとも一つのフィールドを第１のフィールドという場合、データフィールド７７０、ＨＥ−ＳＴＦ７５０、ＨＥ−ＬＴＦ７６０のうち少なくとも一つを第２のフィールドということができる。前記第１のフィールドは、従来（ｌｅｇａｃｙ）システムに関連したフィールドを含むことができ、前記第２のフィールドは、ＨＥシステムに関連したフィールドを含むことができる。その場合、ＦＦＴ（ｆａｓｔ  Ｆｏｕｒｉｅｒ  ｔｒａｎｓｆｏｒｍ）サイズ／ＩＦＦＴ（ｉｎｖｅｒｓｅ  ｆａｓｔ  Ｆｏｕｒｉｅｒ  ｔｒａｎｓｆｏｒｍ）サイズは、既存の無線ＬＡＮシステムで使われたＦＦＴ／ＩＦＦＴサイズのＮ倍（Ｎは、自然数、例えば、Ｎ＝１、２、４）に定義されることができる。即ち、ＨＥ  ＰＰＤＵの第１のフィールドに比べてＨＥ  ＰＰＤＵの第２のフィールドにＮ（＝１、２、または４）倍サイズのＦＦＴ／ＩＦＦＴが適用されることができる。ＦＦＴ／ＩＦＦＴ大きさは、１、２及び４倍のうちいずれか一つに選択されることができ、チャネル状況や、他の通信装置からの設定情報によって選択的に決定されることができる。例えば、２０ＭＨｚの帯域幅に対して２５６ＦＦＴ／ＩＦＦＴが適用され、４０ＭＨｚの帯域幅に対して５１２ＦＦＴ／ＩＦＦＴが適用され、８０ＭＨｚの帯域幅に対して１０２４ＦＦＴ／ＩＦＦＴが適用され、連続１６０ＭＨｚまたは不連続１６０ＭＨｚの帯域幅に対して２０４８ＦＦＴ／ＩＦＦＴが適用されることができる。
【００６３】
他の表現として、サブキャリア空間／スペーシング（ｓｕｂｃａｒｒｉｅｒ  ｓｐａｃｉｎｇ）は、既存の無線ＬＡＮシステムで使われたサブキャリア空間の１／Ｎ倍（Ｎは、自然数、例えば、Ｎ＝４の場合、７８．１２５ｋＨｚ）の大きさである。即ち、ＨＥ  ＰＰＤＵの第１のフィールドは、従来のサブキャリアスペーシングである３１２．５ｋＨｚ大きさのサブキャリアスペーシングが適用されることができ、ＨＥ  ＰＰＤＵの第２のフィールドは、７８．１２５ｋＨｚ大きさのサブキャリア空間が適用されることができる。
【００６４】
または、前記第１のフィールドの各シンボルに適用されるＩＤＦＴ／ＤＦＴ区間（ＩＤＦＴ／ＤＦＴ  ｐｅｒｉｏｄ）は、前記第２のフィールドの各データシンボルに適用されるＩＤＦＴ／ＤＦＴ区間に比べてＮ（＝４）倍短いと表現できる。即ち、ＨＥ  ＰＰＤＵの第１のフィールドの各シンボルに対して適用されるＩＤＦＴ／ＤＦＴ長さは、３．２μｓであり、ＨＥ  ＰＰＤＵの第２のフィールドの各シンボルに対して適用されるＩＤＦＴ／ＤＦＴ長さは、３．２μｓ＊４（＝１２．８μｓ）で表現できる。ＯＦＤＭシンボルの長さは、ＩＤＦＴ／ＤＦＴ長さにＧＩ（ｇｕａｒｄ  ｉｎｔｅｒｖａｌ）の長さを加えた値である。ＧＩの長さは、０．４μｓ、０．８μｓ、１．６μｓ、２．４μｓ、３．２μｓのような多様な値である。
【００６５】
説明の便宜上、図７では第１のフィールドが使用する周波数帯域と第２のフィールドが使用する周波数帯域は、正確に一致すると表現されているが、実際互いに完全に一致しないこともある。例えば、第１の周波数帯域に相応する第１のフィールド（Ｌ−ＳＴＦ、Ｌ−ＬＴＦ、Ｌ−ＳＩＧ、ＨＥ−ＳＩＧ−Ａ、ＨＥ−ＳＩＧ−Ｂ）の主要帯域が第２のフィールド（ＨＥ−ＳＴＦ、ＨＥ−ＬＴＦ、Ｄａｔａ）の主要帯域と同じであるが、各周波数帯域ではその境界面が不一致である。図４乃至図６に示すように、ＲＵを配置する過程で複数のヌルサブキャリア、ＤＣトーン、ガードトーンなどが挿入されることで、正確に境界面を合わせにくいためである。
【００６６】
ユーザ、即ち、受信ステーションは、ＨＥ−ＳＩＧ−Ａ７３０を受信し、ＨＥ−ＳＩＧ−Ａ７３０に基づいてダウンリンクＰＰＤＵの受信指示を受けることができる。このような場合、ＳＴＡは、ＨＥ−ＳＴＦ７５０及びＨＥ−ＳＴＦ７５０以後フィールドから変更されたＦＦＴサイズに基づいてデコーディングを実行することができる。それに対し、ＳＴＡがＨＥ−ＳＩＧ−Ａ７３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ７５０のＣＰ（ｃｙｃｌｉｃ  ｐｒｅｆｉｘ）は、他のフィールドのＣＰより大きい大きさを有することができ、このようなＣＰ区間中、ＳＴＡは、ＦＦＴサイズを変化させてダウンリンクＰＰＤＵに対するデコーディングを実行することができる。
【００６７】
以下、本実施例では、ＡＰからＳＴＡへ送信されるデータ（または、フレーム）はダウンリンクデータ（または、ダウンリンクフレーム）、ＳＴＡからＡＰに送信されるデータ（または、フレーム）はアップリンクデータ（または、アップリンクフレーム）という用語で表現されることができる。また、ＡＰからＳＴＡへの送信はダウンリンク送信、ＳＴＡからＡＰへの送信はアップリンク送信という用語で表現できる。
【００６８】
また、ダウンリンク送信を介して送信されるＰＰＤＵ（ＰＨＹ  ｐｒｏｔｏｃｏｌ  ｄａｔａ  ｕｎｉｔ）、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレーム（または、ＭＡＣ階層の情報単位）を含み、またはフレームを指示するデータ単位である。ＰＨＹヘッダは、他の用語としてＰＬＣＰ（ｐｈｙｓｉｃａｌ  ｌａｙｅｒ  ｃｏｎｖｅｒｇｅｎｃｅ  ｐｒｏｔｏｃｏｌ）ヘッダ、ＰＨＹプリアンブルは、他の用語としてＰＬＣＰプリアンブルで表現されることもできる。
【００６９】
また、アップリンク送信を介して送信されるＰＰＤＵ、フレーム及びデータの各々は、アップリンクＰＰＤＵ、アップリンクフレーム及びアップリンクデータという用語で表現されることができる。
【００７０】
本実施例が適用される無線ＬＡＮシステムでは、ＳＵ（ｓｉｎｇｌｅ）−ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信に基づいて全体帯域幅が一つのＳＴＡへのダウンリンク送信及び一つのＳＴＡのアップリンク送信のために使われることが可能である。また、本実施例が適用される無線ＬＡＮシステムにおいて、ＡＰは、ＭＵ  ＭＩＭＯ（ｍｕｌｔｉｐｌｅ  ｉｎｐｕｔ  ｍｕｌｔｉｐｌｅ  ｏｕｔｐｕｔ）に基づいてＤＬ（ｄｏｗｎｌｉｎｋ）ＭＵ（ｍｕｌｔｉ−ｕｓｅｒ）送信を実行することができ、このような送信は、ＤＬ  ＭＵ  ＭＩＭＯ送信という用語で表現されることができる。
【００７１】
また、本実施例に係る無線ＬＡＮシステムでは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）ベースの送信方法がアップリンク送信及び／またはダウンリンク送信のためにサポートされることが好ましい。即ち、ユーザに互いに異なる周波数リソースに該当するデータユニット（例えば、ＲＵ）を割り当ててアップリンク／ダウンリンク通信を実行することができる。具体的に、本実施例に係る無線ＬＡＮシステムでは、ＡＰがＯＦＤＭＡに基づいてＤＬ  ＭＵ送信を実行することができ、このような送信は、ＤＬ  ＭＵ  ＯＦＤＭＡ送信という用語で表現されることができる。ＤＬ  ＭＵ  ＯＦＤＭＡ送信が実行される場合、ＡＰは、重なった時間リソース上で複数の周波数リソースの各々を介して複数のＳＴＡの各々にダウンリンクデータ（または、ダウンリンクフレーム、ダウンリンクＰＰＤＵ）を送信することができる。複数の周波数リソースは、複数のサブバンド（または、サブチャネル）または複数のＲＵ（ｒｅｓｏｕｒｃｅ  ｕｎｉｔ）である。ＤＬ  ＭＵ  ＯＦＤＭＡ送信は、ＤＬ  ＭＵ  ＭＩＭＯ送信と共に使われることができる。例えば、ＤＬ  ＭＵ  ＯＦＤＭＡ送信のために割り当てられた特定サブバンド（または、サブチャネル）上で複数の時空間ストリーム（ｓｐａｃｅ−ｔｉｍｅ  ｓｔｒｅａｍ）（または、空間的ストリーム（ｓｐａｔｉａｌ  ｓｔｒｅａｍ））に基づいているＤＬ  ＭＵ  ＭＩＭＯ送信が実行されることができる。
【００７２】
また、本実施例に係る無線ＬＡＮシステムでは、複数のＳＴＡが同じ時間リソース上でＡＰにデータを送信するＵＬ  ＭＵ送信（ｕｐｌｉｎｋ  ｍｕｌｔｉ−ｕｓｅｒ  ｔｒａｎｓｍｉｓｓｉｏｎ）がサポートされることができる。複数のＳＴＡの各々による重なった時間リソース上でのアップリンク送信は、周波数ドメイン（ｆｒｅｑｕｅｎｃｙ  ｄｏｍａｉｎ）または空間ドメイン（ｓｐａｔｉａｌ  ｄｏｍａｉｎ）上で実行されることができる。
【００７３】
複数のＳＴＡの各々によるアップリンク送信が周波数ドメイン上で実行される場合、ＯＦＤＭＡに基づいて複数のＳＴＡの各々に対して互いに異なる周波数リソースがアップリンク送信リソースに割り当てられることができる。互いに異なる周波数リソースは、互いに異なるサブバンド（または、サブチャネル）または互いに異なるＲＵ（ｒｅｓｏｕｒｃｅ  ｕｎｉｔ））である。複数のＳＴＡの各々は、割り当てられた互いに異なる周波数リソースを介してＡＰにアップリンクデータを送信することができる。このような互いに異なる周波数リソースを介した送信方法は、ＵＬ  ＭＵ  ＯＦＤＭＡ送信方法という用語で表現されることもできる。
【００７４】
複数のＳＴＡの各々によるアップリンク送信が空間ドメイン上で実行される場合、複数のＳＴＡの各々に対して互いに異なる時空間ストリーム（または、空間的ストリーム）が割り当てられ、複数のＳＴＡの各々が互いに異なる時空間ストリームを介してアップリンクデータをＡＰに送信することができる。このような互いに異なる空間的ストリームを介した送信方法は、ＵＬ  ＭＵ  ＭＩＭＯ送信方法という用語で表現されることもできる。
【００７５】
ＵＬ  ＭＵ  ＯＦＤＭＡ送信とＵＬ  ＭＵ  ＭＩＭＯ送信は、共に実行されることができる。例えば、ＵＬ  ＭＵ  ＯＦＤＭＡ送信のために割り当てられた特定サブバンド（または、サブチャネル）上で複数の時空間ストリーム（または、空間的ストリーム）に基づいているＵＬ  ＭＵ  ＭＩＭＯ送信が実行されることができる。
【００７６】
ＭＵ  ＯＦＤＭＡ送信をサポートしなかった従来の無線ＬＡＮシステムにおいて、一つの端末に広い帯域幅（ｗｉｄｅｒ  ｂａｎｄｗｉｄｔｈ）（例えば、２０ＭＨｚ超過帯域幅）を割り当てるためにマルチチャネル割当方法が使われた。マルチチャネルは、一つのチャネル単位を２０ＭＨｚとする場合、複数個の２０ＭＨｚチャネルを含むことができる。マルチチャネル割当方法では、端末に広い帯域幅を割り当てるためにプライマリチャネル規則（ｐｒｉｍａｒｙ  ｃｈａｎｎｅｌ  ｒｕｌｅ）が使われた。プライマリチャネル規則が使われる場合、端末に広い帯域幅を割り当てるための制約が存在する。具体的に、プライマリチャネルルールによると、プライマリチャネルに隣接したセカンダリチャネル（ｓｅｃｏｎｄａｒｙ  ｃｈａｎｎｅｌ）がＯＢＳＳ（ｏｖｅｒｌａｐｐｅｄ  ＢＳＳ）で使われて‘ビジー（ｂｕｓｙ）’の場合、ＳＴＡは、プライマリチャネルを除外した残りのチャネルを使用することができない。したがって、ＳＴＡは、プライマリチャネルを介してのみフレームを送信することができるため、マルチチャネルを介したフレームの送信に対する制約を受ける。即ち、既存の無線ＬＡＮシステムでのマルチチャネル割当のために使われたプライマリチャネルルールは、ＯＢＳＳが少なくない現在無線ＬＡＮ環境で広い帯域幅を運用して高い処理量を得ようとする時に大きい制約となることができる。
【００７７】
このような問題点を解決するために、本実施例ではＯＦＤＭＡ技術をサポートする無線ＬＡＮシステムが開示される。即ち、ダウンリンク及びアップリンクのうち少なくとも一つに対して前述したＯＦＤＭＡ技術が適用可能である。また、ダウンリンク及びアップリンクのうち少なくとも一つに対して前述したＭＵ−ＭＩＭＯが技法が追加的に適用可能である。ＯＦＤＭＡ技術が使われる場合、プライマリチャネルルールによる制限無しで、マルチチャネルを一つの端末でない複数の端末が同時に使用することができる。したがって、広い帯域幅運用が可能で無線リソースの運用の効率性が向上することができる。
【００７８】
前述したように、複数のＳＴＡ（例えば、ｎｏｎ−ＡＰ  ＳＴＡ）の各々によるアップリンク送信が周波数ドメイン上で実行される場合、ＡＰは、ＯＦＤＭＡに基づいて複数のＳＴＡの各々に対して互いに異なる周波数リソースがアップリンク送信リソースに割り当てられることができる。また、前述したように、互いに異なる周波数リソースは、互いに異なるサブバンド（または、サブチャネル）または互いに異なるＲＵ（ｒｅｓｏｕｒｃｅ  ｕｎｉｔ））である。
【００７９】
複数のＳＴＡの各々に対して互いに異なる周波数リソースは、トリガフレーム（ｔｒｉｇｇｅｒ  ｆｒａｍｅ）を介して指示される。
【００８０】
図９は、トリガフレームの一例を示す。図９のトリガフレームは、アップリンクＭＵ送信（Ｕｐｌｉｎｋ  Ｍｕｌｔｉｐｌｅ−Ｕｓｅｒ  ｔｒａｎｓｍｉｓｓｉｏｎ）のためのリソースを割り当て、ＡＰから送信されることができる。トリガフレームは、ＭＡＣフレームで構成されることができ、ＰＰＤＵに含まれることができる。例えば、図３に示すＰＰＤＵを介して送信され、または図２に示すレガシＰＰＤＵを介して送信され、または該当トリガフレームのために特別に設計されたＰＰＤＵを介して送信されることができる。もし、図３のＰＰＤＵを介して送信される場合、図示されたデータフィールドに前記トリガフレームが含まれることができる。
【００８１】
図９に示す各々のフィールドは、一部省略されることもでき、他のフィールドが追加されることもできる。また、フィールド各々の長さは、図示したことと異なるように変化されることができる。
【００８２】
図９のフレームコントロール（ｆｒａｍｅ  ｃｏｎｔｒｏｌ）フィールド９１０は、ＭＡＣプロトコルのバージョンに対する情報及びその他の追加的な制御情報が含まれ、デュレーションフィールド９２０は、以下で説明するＮＡＶを設定するための時間情報や端末の指示子（例えば、ＡＩＤ）に対する情報が含まれることができる。
【００８３】
また、ＲＡフィールド９３０は、該当トリガフレームの受信ＳＴＡのアドレス情報を含み、必要によって省略されることができる。ＴＡフィールド９４０は、該当トリガフレームを送信するＳＴＡ（例えば、ＡＰ）のアドレス情報を含み、共通情報（ｃｏｍｍｏｎ  ｉｎｆｏｒｍａｔｉｏｎ）フィールド９５０は、該当トリガフレームを受信する受信ＳＴＡに適用される共通制御情報を含む。例えば、該当トリガフレームに対応して送信されるアップリンクＰＰＤＵのＬ−ＳＩＧフィールドの長さを指示するフィールドや、該当トリガフレームに対応して送信されるアップリンクＰＰＤＵのＳＩＧ−Ａフィールド（即ち、ＨＥ−ＳＩＧ−Ａフィールド）の内容（ｃｏｎｔｅｎｔ）を制御する情報が含まれることができる。また、共通制御情報として、該当トリガフレームに対応して送信されるアップリンクＰＰＤＵのＣＰの長さに対する情報やＬＴＦフィールドの長さに対する情報が含まれることができる。
【００８４】
また、図９のトリガフレームを受信する受信ＳＴＡの個数に相応する個別ユーザ情報（ｐｅｒ  ｕｓｅｒ  ｉｎｆｏｒｍａｔｉｏｎ）フィールド９６０＃１乃至９６０＃Ｎを含むことが好ましい。前記個別ユーザ情報フィールドは、“ＲＵ割当フィールド”とも呼ばれる。
【００８５】
また、図９のトリガフレームは、パディングフィールド９７０と、フレームチェックシーケンスフィールド９８０と、を含むことができる。
【００８６】
なお、図９に示す、個別ユーザ情報（ｐｅｒ  ｕｓｅｒ  ｉｎｆｏｒｍａｔｉｏｎ）フィールド９６０＃１乃至９６０＃Ｎの各々は、複数のサブフィールドを含むことが好ましい。
【００８７】
図１０は、個別ユーザ情報（ｐｅｒ  ｕｓｅｒ  ｉｎｆｏｒｍａｔｉｏｎ）フィールドに含まれるサブフィールドの一例を示す。図１０のサブフィールドのうち一部は省略されることができ、その他のサブフィールドが追加されることもできる。また、図示されたサブフィールドの各々の長さは変形されることができる。
【００８８】
図１０のユーザ識別子（Ｕｓｅｒ  Ｉｄｅｎｔｉｆｉｅｒ）フィールド１０１０は、個別ユーザ情報（ｐｅｒ  ｕｓｅｒ  ｉｎｆｏｒｍａｔｉｏｎ）が対応されるＳＴＡ（即ち、受信ＳＴＡ）の識別子を示し、識別子の一例は、ＡＩＤの全部または一部になることができる。
【００８９】
また、ＲＵ割当（ＲＵ  Ａｌｌｏｃａｔｉｏｎ）フィールド１０２０が含まれることができる。即ち、ユーザ識別子フィールド１０１０で識別された受信ＳＴＡが、図９のトリガフレームに対応してアップリンクＰＰＤＵを送信する場合、ＲＵ割当（ＲＵ  Ａｌｌｏｃａｔｉｏｎ）フィールド１０２０が指示したＲＵを介して該当アップリンクＰＰＤＵを送信する。その場合、ＲＵ割当（ＲＵ  Ａｌｌｏｃａｔｉｏｎ）フィールド１０２０により指示されるＲＵは、図４、図５、図６に示すＲＵを指示することが好ましい。具体的なＲＵ割当フィールド１０２０の構成は、後述する。
【００９０】
図１０のサブフィールドは、コーディングタイプフィールド１０３０を含むことができる。コーディングタイプフィールド１０３０は、図９のトリガフレームに対応して送信されるアップリンクＰＰＤＵのコーディングタイプを指示することができる。例えば、前記アップリンクＰＰＤＵにＢＣＣコーディングが適用される場合、前記コーディングタイプフィールド１０３０は‘１’に設定され、ＬＤＰＣコーディングが適用される場合、前記コーディングタイプフィールド１０３０は‘０’に設定されることができる。
【００９１】
また、図１０のサブフィールドは、ＭＣＳフィールド１０４０を含むことができる。ＭＣＳフィールド１０４０は、図９のトリガフレームに対応して送信されるアップリンクＰＰＤＵに適用されるＭＣＳ技法を指示することができる。例えば、前記アップリンクＰＰＤＵにＢＣＣコーディングが適用される場合、前記コーディングタイプフィールド１０３０は‘１’に設定され、ＬＤＰＣコーディングが適用される場合、前記コーディングタイプフィールド１０３０は‘０’に設定されることができる。
【００９２】
以下、本明細書は、ＰＰＤＵに含まれる制御フィールドを改善する一例を提案する。本明細書により改善される制御フィールドは、前記ＰＰＤＵを解釈（ｉｎｔｅｒｐｒｅｔ）するために要求される制御情報を含む第１の制御フィールドと、前記ＰＰＤＵのデータフィールドを復調するための制御情報を含む第２の制御フィールドと、を含む。前記第１及び第２の制御フィールドは多様なフィールドになることができる。例えば、前記第１の制御フィールドは、図７に示すＨＥ−ＳＩＧ−Ａ７３０であり、前記第２の制御フィールドは、図７及び図８に示すＨＥ−ＳＩＧ−Ｂ７４０である。
【００９３】
以下、第１または第２の制御フィールドを改善する具体的な一例を説明する。
【００９４】
以下の一例では、第１の制御フィールドまたは第２の制御フィールドに挿入される制御識別子を提案する。前記制御識別子の大きさは多様であり、例えば、１ビット情報で具現されることができる。
【００９５】
前記制御識別子（例えば、１ビット識別子）は、例えば、２０ＭＨｚ送信が実行される場合、２４２−ＲＵが割り当てられるかどうかを指示することができる。図４乃至図６に示すように、多様な大きさのＲＵが使われることができる。このようなＲＵは、大いに、二つの類型（ｔｙｐｅ）のＲＵに区分されることができる。例えば、図４乃至図６に示す全てのＲＵは、２６−ｔｙｐｅのＲＵと２４２−ｔｙｐｅのＲＵとに区分されることができる。例えば、２６−ｔｙｐｅＲＵは、２６−ＲＵ、５２−ＲＵ、１０６−ＲＵを含み、２４２−ｔｙｐｅＲＵは、２４２−ＲＵ、４８４−ＲＵ、及びそれより大きいＲＵを含むことができる。
【００９６】
前記制御識別子（例えば、１ビット識別子）は、２４２−ｔｙｐｅＲＵが使われたことを指示することができる。即ち、２４２−ＲＵが含まれ、または４８４−ＲＵや、９９６−ＲＵが含まれることを指示することができる。もし、ＰＰＤＵが送信される送信周波数帯域が２０ＭＨｚ帯域である場合、２４２−ＲＵは、送信周波数帯域（即ち、２０ＭＨｚ）帯域の全帯域（ｆｕｌｌ  ｂａｎｄｗｉｄｔｈ）に相応する単一（ｓｉｎｇｌｅ）のＲＵである。それによって、前記制御識別子（例えば、１ビット識別子）は、送信周波数帯域の全帯域（ｆｕｌｌ  ｂａｎｄｗｉｄｔｈ）に相応する単一（ｓｉｎｇｌｅ）のＲＵが割り当てられるかどうかを指示することもできる。
【００９７】
例えば、送信周波数帯域が４０ＭＨｚ帯域である場合、前記制御識別子（例えば、１ビット識別子）は、送信周波数帯域の全帯域（即ち、４０ＭＨｚ帯域）に相応する単一（ｓｉｎｇｌｅ）のＲＵが割り当てられたかどうかを指示することができる。即ち、４０ＭＨｚの送信のために４８４−ＲＵが割り当てられたかどうかを指示することができる。
【００９８】
例えば、送信周波数帯域が８０ＭＨｚ帯域である場合、前記制御識別子（例えば、１ビット識別子）は、送信周波数帯域の全帯域（即ち、８０ＭＨｚ帯域）に相応する単一（ｓｉｎｇｌｅ）のＲＵが割り当てられたかどうかを指示することができる。即ち、８０ＭＨｚの送信のために９９６−ＲＵが割り当てられたかどうかを指示することができる。
【００９９】
前記制御識別子（例えば、１ビット識別子）を介して多様な技術的効果を達成することができる。
【０１００】
まず、前記制御識別子（例えば、１ビット識別子）を介して、送信周波数帯域の全帯域に相応する単一のＲＵが割り当てられる場合、ＲＵの割当情報が省略されることが可能である。即ち、複数個のＲＵでなく、送信周波数帯域の全帯域にただ１個のＲＵのみが割り当てられるため、ＲＵの割当情報が省略されることが可能である。
【０１０１】
また、全帯域マルチユーザＭＩＭＯ（Ｆｕｌｌ  Ｂａｎｄｗｉｄｔｈ  ＭＵ−ＭＩＭＯ）のためのシグナリングでも活用可能である。例えば、送信周波数帯域の全帯域（ｆｕｌｌ  ｂａｎｄｗｉｄｔｈ）にわたって単一のＲＵが割り当てられる場合、該当単一のＲＵにマルチユーザを割り当てることができる。即ち、各ユーザに対する信号は、時間と空間的には区別されないが、その他の技法（例えば、空間多重化）を利用して同じ単一のＲＵに多数のユーザのための信号を多重化することができる。それによって、前記制御識別子（例えば、１ビット識別子）は、前記のような全帯域マルチユーザＭＩＭＯの使用可否を指示するためにも使われることができる。
【０１０２】
図１１は、本実施例によって構成された制御フィールド及びデータフィールドの一例を示すブロック図である。
【０１０３】
図１１の左側のブロックは、ＰＰＤＵの第１及び／または第２の制御フィールドに含まれる情報を示し、図１１の右側ブロックは、ＰＰＤＵのデータフィールドに含まれる情報を示す。図１１に関連したＰＰＤＵは、マルチユーザ（ｍｕｌｔｉ−ｕｓｅｒ）、即ち、複数の受信装置のためのＰＰＤＵである。具体的に、ＰＰＤＵは、マルチユーザ及び単一ユーザのためにフィールドの構造が変わることができ、図１１の一例は、マルチユーザのためのＰＰＤＵである。
【０１０４】
図１１の一例は、２０ＭＨｚ送信のために使われると図示されているが、送信周波数帯域の帯域幅には制限がなく、４０ＭＨｚ、８０ＭＨｚ、１６０ＭＨｚ送信にも適用されることができる。
【０１０５】
図１１の左側のブロックに表示された通り、前述した制御識別子（例えば、１ビット識別子）が第１及び／または第２の制御フィールドに含まれることができる。例えば、前記制御識別子１１１０が第１の制御フィールドに含まれる場合、ＲＵに対する割当情報１１２０に対する情報は、第２の制御フィールドに含まれることができる。また、前記第２の制御フィールドには図１１のＰＰＤＵを受信する受信装置の識別情報１１３０が含まれることができる。前記受信装置の識別情報１１３０は、第２の制御フィールドに相応するデータフィールド１１４０がどの受信装置に割り当てられたものかを指示することができ、例えば、ＡＩＤで具現されることができる。
【０１０６】
図１１に示すように、制御識別子（例えば、１ビット識別子）によってＲＵに対する割当情報が第２の制御フィールドで省略されることができる。例えば、制御識別子が“１”に設定されると、第２の制御フィールドではＲＵに対する割当情報１１２０は省略され、受信装置の識別情報１１３０が含まれることができる。また、制御識別子が“０”に設定されると、第２の制御フィールドではＲＵに対する割当情報１１２０が含まれ、受信装置の識別情報１１３０も含まれることができる。
【０１０７】
前記図１１のＲＵに対する割当情報１１２０は、図８に示すＳＩＧ−Ｂの共通フィールド（ｃｏｍｍｏｎ  ｆｉｅｌｄ）に含まれることができ、図１１の識別情報１１３０は、図８に示すＳＩＧ−Ｂのユーザ−特定（ｕｓｅｒ−ｓｐｅｃｉｆｉｃ）フィールドに含まれることができる。
【０１０８】
追加的に説明すると、図１１を参照すると、ＳＩＧ−Ｂの共通フィールドには、ユーザに対するＲＵ  ｓｉｇｎａｌｉｎｇ情報、ｓｔｒｅａｍ割当関連情報などの共通情報が含まれることができ、図１１のＰＰＤＵを受信する全てのユーザに対する共通情報を含むことができる。前述したＲＵに対する割当情報１１２０が省略される場合、オーバーヘッドが減少する技術的効果がある。
【０１０９】
他の一例によると、２０ＭＨｚ送信が使われる場合、２４２−ＲＵが割り当てられることは単一ユーザ（ＳＵ）送信とみなすことができるため、前述した制御識別子（例えば、１ビット識別子）が省略されることができる。その場合、第１の制御フィールド（例えば、ＨＥ−ＳＩＧ−Ａ）ＳＵ／ＭＵ識別フィールドによって動作が異なる。即ち、第１の制御フィールドに含まれたＳＵ／ＭＵ識別フィールドがＭＵ送信を指示する場合、前記制御識別子は省略され、２６−ｔｙｐｅのＲＵのみを割り当てる一例も可能である。
【０１１０】
以下、本実施例の他の一例を説明する。
【０１１１】
図１２は、４０ＭＨｚ送信のための本実施例の一例を示す。
【０１１２】
図１２の左側ブロックは、第１及び／または第２の制御フィールドに相応する情報を表示する。以下、説明の便宜のために、図１２の左側ブロックは、第２の制御フィールド（即ち、ＳＩＧ−Ｂ）に相応し、図１２の右側ブロックは、ＰＰＤＵのデータフィールドに相応すると説明する。
【０１１３】
図示されたように、各々の制御フィールド及びデータフィールドは、２０ＭＨｚ帯域に相応する。
【０１１４】
図１２の一例において、前述した制御識別子（例えば、１ビット識別子）が“１”に設定されると、ＲＵに対する割当情報が省略されることができる。図１２の一例において、制御識別子（例えば、１ビット識別子）は、２４２−ＲＵ（または、２４２−ｔｙｐｅ  ＲＵ）が使われるかどうかを指示することができる。
【０１１５】
図１２を参照すると、ＳＩＧ−Ｂの共通フィールドの前部に制御識別子が含まれる。図１２の一例において、制御識別子は、“２４２  ｕｎｉｔ  ｂｉｔｍａｐ”とも呼ばれる。“２４２  ｕｎｉｔ  ｂｉｔｍａｐ”によってＲＵ割当情報が省略されることができるという点は、図１１と同じであり、オーバーヘッド減少の効果が発生する点も同じである。
【０１１６】
全体４０ＭＨｚのチャネルで２４２−ＲＵのみが割り当てられる場合、“２４２  ｕｎｉｔ  ｂｉｔｍａｐ”は“１”に設定されることができる。図１２の副図面（ｂ）を参考にすると、４０ＭＨｚチャネルで２６−ｔｙｐｅＲＵのみが割り当てられる場合、“２４２  ｕｎｉｔ  ｂｉｔｍａｐ”は“００”に設定されることができる。図１２の副図面（ｃ）を参考にすると、４０ＭＨｚチャネルで全て２４２−ＲＵのみが割り当てられる場合、“２４２  ｕｎｉｔ  ｂｉｔｍａｐ”は“１１”に設定されることができる。ＳＩＧ−Ｂパートの最後のシンボルは、２０ＭＨｚチャネルのうち最も長いＳＩＧ  Ｂシンボルに整列（ａｌｉｇｎ）されなければならないため、いずれか一つの２０ＭＨｚチャネルでのみＲＵ割当情報が省略されることは、オーバーヘッド減少の効果が小さい。それによって、全ての２０ＭＨｚチャネルで２４２−ＲＵのみが割り当てられる場合、“２４２  ｕｎｉｔ  ｂｉｔｍａｐ”が“１”に設定される一例も可能である。
【０１１７】
以下の一例では、前述した制御識別子（例えば、１ビット識別子）に対する他の一例を提案する。具体的に、前述した制御識別子を２個の識別子に区分する一例を提案する。即ち、各２０ＭＨｚチャネル毎に２４２−ｔｙｐｅのＲＵが割り当てられるかを指示する第１の識別子と、該当２０ＭＨｚチャネルで４８４−ＲＵ（または、異なる大きさの２４２−ｔｙｐｅ  ＲＵ）が割り当てられるかを指示する第２の識別子と、を提案する。
【０１１８】
また、第２の制御フィールド（即ち、ＳＩＧ−Ｂ）とデータフィールドとの間の周波数マッピング関係に対する改善された一例を提案する。第２の制御フィールド（即ち、ＳＩＧ−Ｂ）とデータフィールドとの間の周波数マッピングに対する追加的な一例は、前述した一例（即ち、図１１や図１２の一例）にも適用可能であるが、以下、説明の便宜のために図１３の一例に基づいて説明する。
【０１１９】
図１３は、本明細書が８０ＭＨｚ送信に適用された一例を示す。
【０１２０】
図１３の一例は、２０ＭＨｚチャネル当たり第１の識別子１３１０が構成される。即ち、２０ＭＨｚチャネル毎に２４２−ｔｙｐｅのＲＵが割り当てられるかを指示する１ビット識別子が４個挿入されることができる。そのとき、８０ＭＨｚ帯域内では４８４−ＲＵが割り当てられることができるため、特定２０ＭＨｚチャネル（即ち、２４２  ｃｈｕｎｋ）が２４２−ＲＵのために使われるかまたは４８４−ＲＵのために使われるかを指示する追加的な識別子、即ち、前述した第２の識別子１３２０が追加で含まれることができる。第１及び第２の識別子が両方とも使われる場合、８０ＭＨｚ帯域では総８ビットの情報が第１／第２の識別子のために使われることができる。
【０１２１】
前記第１及び第２の識別子は“２４２  ｕｎｉｔ  ｂｉｔｍａｐ”及び“４８４  ｕｎｉｔ  ａｓｓｉｇｎｍｅｎｔ  ｉｎｄｉｃａｔｉｏｎ  ｆｉｅｌｄ”で表示されることもできる。第１及び第２の識別子は、２ビットのフィールドで具現されることができる。例えば、第１のチャネルに相応する第２の識別子１３５０及び第２のチャネルに相応する第２の識別子１３６０が“００”に設定されると、該当ＰＰＤＵでは４８４−ＲＵが割り当てられない。例えば、第１及び第２の識別子が“１”と“０”に設定されると、２４２−ＲＵのみが割り当てられることが指示されることができる。
【０１２２】
図１３の一例は、図示されたような第１の識別子１３１０と第２の識別子１３２０に対する一例である。しかし、追加的に、第２の制御フィールド（即ち、ＳＩＧ−Ｂ）とデータフィールドとの間の周波数マッピング関係に対する一例が適用されることができる。
【０１２３】
具体的に、第２の制御フィールド（即ち、ＳＩＧ−Ｂ）は、各２０ＭＨｚチャネル毎に別途に構成できる。しかし、本明細書は、下位２個の２０ＭＨｚチャネル１３３０と上位２個の２０ＭＨｚチャネル１３４０を独立的に構成する一例を提案する。具体的に、上位または下位２個の２０ＭＨｚチャネルに対応されるＳＩＧ−Ｂを構成し、これを複製（ｄｕｐｌｉｃａｔｉｏｎ）して残りの２個の２０ＭＨｚチャネルのために使用する一例を提案する。
【０１２４】
本明細書で提案するフィールドの全部または一部、例えば、ＳＩＧ−Ｂは、前述した複製方法によって構成されることが好ましい。例えば、図１３の一例に示す４個の２０ＭＨｚチャネルを、下から順に第１乃至第４のチャネルに区分する場合、第１及び第２のチャネルに含まれるＳＩＧ−Ｂは、第３及び第４のチャネルに含まれるＳＩＧ−Ｂとその内容（ｃｏｎｔｅｎｔｓ）が同じである。そのとき、第１のチャネルは、最も低い周波数インデックスを有し、増加順に第２乃至第４のチャネルが位置することを仮定する。また、図示されたように、第２のチャネルに相応するＳＩＧ−Ｂは、ＳＴＡ３に相応するＡＩＤ３を表示した後、その次にＳＴＡ４に相応するＡＩＤを４を表示する。それによって、第２のチャネルに相応するＳＩＧ−Ｂは、ＳＴＡ３を第２のチャネルに相応するデータフィールドに割り当て、ＳＴＡ４を第４のチャネルに相応するデータフィールドに割り当てることができる。即ち、第２のチャネルに相応するＳＩＧ−Ｂは、第２のチャネルに相応するデータフィールドに対するＳＴＡ識別情報を指示した後、その次に第４のチャネルに相応するデータフィールドに対するＳＴＡ識別情報を指示することができる。
【０１２５】
また、図１３を参考にすると、第１のチャネルに相応するＳＩＧ−Ｂは、第１のチャネルに相応するデータフィールドを指示し、第１のチャネルに相応するデータフィールドに割り当てられたＳＴＡ（即ち、ＳＴＡ１）を指示し、また、第３のチャネルに相応するデータフィールドを指示し、第３のチャネルに相応するデータフィールドに割り当てられたＳＴＡ（即ち、ＳＴＡ２）を指示することができる。即ち、第１のチャネルに含まれたＳＩＧ−Ｂは、第１のチャネルに相応するデータフィールドに対するＳＴＡ識別情報及び第３のチャネルに相応するデータフィールドに対するＳＴＡ識別情報を指示することができる。
【０１２６】
図１４は、本明細書による他の一例を示す。
【０１２７】
図１４を参照すると、各２０ＭＨｚに相応するＳＩＧ−Ｂフィールドの最も前方部には第１の識別子１４１０が含まれ、その次に第２の識別子１４２０が含まれる。
【０１２８】
図１４の第１／第２の識別子は、図１３の第１／第２の識別子と同じように使われることができる。また、図１４の一例は、図１３の一例と同様に、ＳＩＧ−Ｂとデータフィールドとの間に既設定されたマッピング関係を有することができる。ただし、図１３の一例と異なるように、図１４の一例は、第１のチャネルに相応するＳＩＧ−Ｂが第１／第２のチャネルに相応するデータフィールドにマッピングされ、第２のチャネルに相応するＳＩＧ−Ｂが第３／第４のチャネルに相応するデータフィールドにマッピングされる。
【０１２９】
図１５は、本明細書による他の一例を示す。
【０１３０】
図１５を参照すると、各２０ＭＨｚに相応するＳＩＧ−Ｂフィールドの最も前方部には第１の識別子１５１０が含まれ、その次に第２の識別子１５２０が含まれる。図１５の一例による第１／第２の識別子は、図１３及び／または図１４の第１／第２の識別子に対応されることができる。
【０１３１】
図１５に示すように、第１／第２のチャネルに対応されるＳＩＧ−Ｂフィールドの情報の全部または一部は、第３／第４のチャネルに複製（ｄｕｐｌｉｃａｔｅ）されることができる。即ち、図１５に示すように、第１／第２のチャネルに対応されるＳＩＧ−Ｂフィールドは、｛ＡＩＤ１、２｝及び｛ＡＩＤ１、３｝を指示し、第３／第４のチャネルに対応されるＳＩＧ−Ｂフィールドも｛ＡＩＤ１、２｝及び｛ＡＩＤ１、３｝を指示することができる。
【０１３２】
図１５を参考にすると、第１のチャネルに対応する第２の識別子１５５０は“１”を指示し、第２のチャネルに対応する第２の識別子１５６０は“０”を指示する。これは第１／第２のチャネルに対しては４８４−ＲＵが割り当てられ、第３／第４のチャネルに対しては４８４−ＲＵが割り当てられないことを指示する。図１５の一例において、第１の識別子１５１０は、全て１に設定されるため、結局、図１５のデータフィールドは、第１／第２のチャネルに対しては４８４−ＲＵが割り当てられ、第３のチャネルに対しては２４２−ＲＵが割り当てられ、第４のチャネルに対しても２４２−ＲＵが割り当てられる。
【０１３３】
図１５の一例のその他の特徴は、図１３乃至図１４の一例と同じである。
【０１３４】
図１６は、本明細書による他の一例を示す。
【０１３５】
図１６を参照すると、各２０ＭＨｚに相応するＳＩＧ−Ｂフィールドの最も前方部には第１の識別子１６１０が含まれ、その次に第２の識別子１６２０が含まれる。
【０１３６】
図１６に示すように、第１／第２のチャネルに対応されるＳＩＧ−Ｂフィールドの情報の全部または一部は、第３／第４のチャネルに複製（ｄｕｐｌｉｃａｔｅ）されることができる。即ち、図１６に示すように、第１／第２のチャネルに対応されるＳＩＧ−Ｂフィールドは｛ＡＩＤ１、２｝及び｛ＡＩＤ３、２｝を指示し、第３／第４のチャネルに対応されるＳＩＧ−Ｂフィールドも｛ＡＩＤ１、２｝及び｛ＡＩＤ３、２｝を指示することができる。
【０１３７】
図１６を参考にすると、第１のチャネルに対応する第２の識別子１６５０は“０”を指示し、第２のチャネルに対応する第２の識別子１６６０は“１”を指示する。これは第１／第２のチャネルに対しては４８４−ＲＵが割り当てられずに、第３／第４のチャネルに対しては４８４−ＲＵが割り当てられることを指示する。図１６の一例において、第１の識別子１６１０は、全て１に設定されるため、結局、図１６のデータフィールドは、第１／第２のチャネルに対しては全て２４２−ＲＵが割り当てられ、第３／４チャネルに対しては４８４−ＲＵが割り当てられる。
【０１３８】
図１６の一例のその他の特徴は、図１３乃至図１５の一例と同じである。
【０１３９】
図１７は、本明細書による他の一例を示す。
【０１４０】
図１７を参照すると、各２０ＭＨｚに相応するＳＩＧ−Ｂフィールドの最も前方部には第１の識別子１７１０が含まれ、その次に第２の識別子１７２０が含まれる。
【０１４１】
図１７に示すように、第１／第２のチャネルに対応されるＳＩＧ−Ｂフィールドの情報の全部または一部は、第３／第４のチャネルに複製（ｄｕｐｌｉｃａｔｅ）されることができる。即ち、図１７に示すように、第１／第２のチャネルに対応されるＳＩＧ−Ｂフィールドは｛ＡＩＤ１｝及び｛ＡＩＤ２｝を指示し、第３／第４のチャネルに対応されるＳＩＧ−Ｂフィールドも｛ＡＩＤ１｝及び｛ＡＩＤ２｝を指示することができる。
【０１４２】
図１７を参考にすると、第１のチャネルに対応する第２の識別子１７５０は“１”を指示し、第２のチャネルに対応する第２の識別子１７６０は“１”を指示する。これは第１／第２のチャネルに対して４８４−ＲＵが割り当てられ、また、第３／第４のチャネルに対しても４８４−ＲＵが割り当てられることを指示する。
【０１４３】
図１７の一例のその他の特徴は、図１３乃至図１６の一例と同じである。
【０１４４】
図１８は、本明細書による他の一例を示す。
【０１４５】
図１８を参照すると、各２０ＭＨｚに相応するＳＩＧ−Ｂフィールドの最も前方部には第１の識別子１８１０が含まれ、その次に第２の識別子１８２０が含まれる。
【０１４６】
図１８に示すように、第１／第２のチャネルに対応されるＳＩＧ−Ｂフィールドの情報の全部または一部は第３／第４のチャネルに複製（ｄｕｐｌｉｃａｔｅ）されることができる。即ち、図１８に示すように、第１／第２のチャネルに対応されるＳＩＧ−Ｂフィールドは｛ＡＩＤ１、２｝及び｛ＡＩＤ１、２｝を指示し、第３／第４のチャネルに対応されるＳＩＧ−Ｂフィールドも｛ＡＩＤ１、２｝及び｛ＡＩＤ１、２｝を指示することができる。
【０１４７】
図１８を参考にすると、第１のチャネルに対応する第２の識別子１８５０は“１”を指示し、第２のチャネルに対応する第２の識別子１８６０は“１”を指示する。これは第１／第２のチャネルに対して４８４−ＲＵが割り当てられ、また、第３／第４のチャネルに対しても４８４−ＲＵが割り当てられることを指示する。
【０１４８】
図１８の一例のその他の特徴は、図１３乃至図１７の一例と同じである。
【０１４９】
図１９は、本実施例によるＳＩＧ−Ａ、ＳＩＧ−Ｂ及びデータフィールドの関係を示す。図１９の一例は、前述した内容を一つのＰＰＤＵ上に表示した内容である。
【０１５０】
図１９のＰＰＤＵ１９０１は、図７に示すフィールドの全部または一部を含むことができる。具体的に、図示されたように、第１の制御フィールド１９１０、第２の制御フィールド１９２０、１９３０及びデータフィールド１９４０を含むことができる。第１の制御フィールド１９１０は、前述したＳＩＧ−ＡまたはＨＥ−ＳＩＧ  Ａに対応され、第２の制御フィールド１９２０は、前述したＳＩＧ−ＢまたはＨＥ−ＳＩＧ  Ｂに対応されることができる。
【０１５１】
前記第１の制御フィールド１９１０は、図７のＨＥ−ＳＩＧ  Ａ７３０及び図１１乃至図１８に示す技術的特徴を含むことができる。具体的に、第１の制御フィールド１９１０は、ＰＰＤＵ１９０１の解釈のための制御情報を含むことができる。例えば、図７の一例で説明した通り、ＰＰＤＵ１９０１が送信される送信周波数帯域を指示するサブフィールド（２０ＭＨｚ、４０ＭＨｚ、８０ＭＨｚ、１６０ＭＨｚなどを指示）を含むことができる。
【０１５２】
また、図１１乃至図１８で説明した制御識別子（例えば、第１の識別子及び／または第２の識別子）を含むことができる。具体的に、第１の制御フィールド１９１０は、送信周波数帯域の全帯域（ｆｕｌｌ  ｂａｎｄｗｉｄｔｈ）に相応する単一（ｓｉｎｇｌｅ）のＲＵが割り当てられるかどうかを指示する１ビット識別子を含むことができる。前記第１の制御フィールド１９１０の制御識別子（例えば、１ビット識別子）が“１”に設定されると、送信周波数帯域の全帯域（ｆｕｌｌ  ｂａｎｄｗｉｄｔｈ）に相応する単一（ｓｉｎｇｌｅ）のＲＵが割り当てられることが指示される。即ち、送信周波数帯域が２０ＭＨｚ帯域である場合、単一の２４２−ＲＵが割り当てられることが指示され、例えば、送信周波数帯域が８０ＭＨｚ帯域である場合、単一の９９６−ＲＵが割り当てられることが指示される。一方、前述した通り、前記１ビット識別子は、全帯域マルチユーザＭＩＭＯ（Ｆｕｌｌ  Ｂａｎｄｗｉｄｔｈ  ＭＵ−ＭＩＭＯ）のためのシグナリングできる技術的効果がある。
【０１５３】
図１９の一例が８０ＭＨｚ送信に適用される場合、前記第１の制御フィールド１９１０は、２０ＭＨｚ単位で生成された以後、送信周波数帯域によって複製（ｄｕｐｌｉｃａｔｅ）される形態でＰＰＤＵ１９０１に含まれることができる。即ち、第１の制御フィールド１９１０は、２０ＭＨｚ単位で生成され、８０ＭＨｚ帯域に合うように複製されることができる。
【０１５４】
第２の制御フィールドは、図８に示す共通フィールド及びユーザ−特定フィールドを含むＨＥ−ＳＩＧ  Ｂフィールドに対応されることができる。即ち、第２の制御フィールドは、共通フィールド１９２０及びユーザ−特定フィールド１９３０を含むことができる。前述した通り、ＳＩＧ−Ｂの共通フィールド１９２０には、ユーザに対するＲＵ割当情報のような共通情報が含まれることができる。例えば、特定のｎ−ビットマッピング情報を含むルックアップ−テーブル形態のＲＵ割当情報が含まれることができる。ＲＵ割当情報は、対応されるデータフィールド１９４０に適用されるＲＵの配置または割当情報を指示することができる。即ち、図４乃至図６のように、複数のＲＵが配置される構造を指示することができる。第２の制御フィールドの共通フィールド１９２０を受信した全てのＳＴＡは、対応されるデータフィールド１９４０がどのようなＲＵで構成されるかを確認することができる。
【０１５５】
整理すると、第２の制御フィールドは、共通フィールド１９２０を介して、ＲＵ（ｒｅｓｏｕｒｃｅ  ｕｎｉｔ）のための割当情報を含むことが一般的である。しかし、もし、第１の制御フィールド１９１０に含まれる制御識別子（例えば、１ビット識別子）が“１”に設定されると、前記ＲＵのための割当情報は、省略されることが好ましい。即ち、共通フィールド１９２０が省略されることができる。前記制御識別子が“１”に設定されると、ただ１個のＲＵが使われることで、別途にＲＵのための割当情報を構成する必要がないため、共通フィールド１９２０は省略可能である。他の表現として、第１の制御フィールド１９１０に含まれる制御識別子（例えば、１ビット識別子）が“０”に設定されると、第２の制御フィールドの共通フィールド１９２０は、ＲＵ（ｒｅｓｏｕｒｃｅ  ｕｎｉｔ）のための割当情報を含み、もし、第１の制御フィールド１９１０に含まれる制御識別子（例えば、１ビット識別子）が“１”に設定されると、第２の制御フィールドの共通フィールド１９２０は、ＲＵ（ｒｅｓｏｕｒｃｅ  ｕｎｉｔ）のための割当情報を含まない。
【０１５６】
第２の制御フィールド１９２０、１９３０は、データフィールド１９４０の復調のために使われる。その場合、第２の制御フィールド及びデータフィールド１９４０は、図１３乃至図１８に示すようなマッピング関係を有することができる。
【０１５７】
例えば、図１９の一例が８０ＭＨｚ送信に関連する場合、第２の制御フィールドは、第１乃至第４のＳＩＧ−Ｂチャネルに対応されることができる。即ち、４個の２０ＭＨｚ単位のチャネルに区分されることができる。
【０１５８】
その場合、第１のＳＩＧ−Ｂチャネルに対応される第２の制御フィールド１９２１、１９３１の内容（ｃｏｎｔｅｎｔｓ）は、第３のＳＩＧ−Ｂチャネルに対応される第２の制御フィールド１９２３、１９３３の内容と同じである。他の表現として、前記ＰＰＤＵ１９０１は、第２の制御フィールドの一部が複製されることができる。第２の制御フィールドに対する複製は、多様に具現されることができる。
【０１５９】
説明の便宜のために、第１乃至第４のＳＩＧ−Ｂチャネルに対応される４個の第２の制御フィールドは、第１、第２、第３、第４のシグナルフィールドという。その場合、第２のシグナルフィールド１９２２、１９３２が複製されて第４のシグナルフィールド１９２４、１９３４が構成されることができる。即ち、第２のＳＩＧ−Ｂチャネルに対応される第２の制御フィールド１９２２、１９３２の内容（ｃｏｎｔｅｎｔｓ）は、第４のＳＩＧ−Ｂチャネルに対応される第２の制御フィールド１９２４、１９３４の内容と同じである。
【０１６０】
このような複製が実行される場合、第１のシグナルフィールド１９２１、１９３１は、第１のデータチャネルのデータフィールド１９４１及び第３のデータチャネルのデータフィールド１９４３に対応されることができる。また、第２のシグナルフィールド１９２２、１９３２は、第２のデータチャネルのデータフィールド１９４２及び第４のデータチャネルのデータフィールド１９４４に対応されることができる。
【０１６１】
他の表現として、第１のシグナルフィールド１９２１、１９３１に含まれる共通フィールド１９２０は、第１のデータチャネルのデータフィールド１９４１に適用されるＲＵに対する割当情報と第３のデータチャネルのデータフィールド１９４３に適用されるＲＵに対する割当情報を指示することができる。その場合、第１のシグナルフィールド１９２１、１９３１内には、第１のデータチャネルのデータフィールド１９４１に適用されるＲＵに対する割当情報が１個のＢＣＣブロック形態で挿入され、その後、第３のデータチャネルのデータフィールド１９４３のための１個のＢＣＣブロックが挿入される。
【０１６２】
また、第１のシグナルフィールド１９２１、１９３１に含まれるユーザ−特定フィールド１９３１は、第１のデータチャネルのデータフィールド１９４１に割り当てられるＳＴＡの識別情報（例えば、ＡＩＤ）及び第３のデータチャネルのデータフィールド１９４３に割り当てられるＳＴＡの識別情報（例えば、ＡＩＤ）を含むことができる。その場合、第１のシグナルフィールド１９２１、１９３１内には、前述した２個のＢＣＣブロックが挿入され、その後、第１のデータチャネルのデータフィールド１９４１に割り当てられるＳＴＡに対するＢＣＣブロックが挿入され、以後、第３のデータチャネルのデータフィールド１９４３に割り当てられるＳＴＡに対するＢＣＣブロックが挿入される。
【０１６３】
図１９において、第２の制御フィールド１９２０、１９３０が送信される周波数帯域は、４個の“ＳＩＧ−Ｂチャネル”で表示され、データフィールド１９４０が送信される周波数帯域は、４個の“データチャネル”で表示されたが、各ＳＩＧ−Ｂチャネル及びデータチャネルは、図７で説明した４個の周波数帯域に対応されると理解されることができる。即ち、図７の一例で説明した通り、データチャネルの各境界面とＳＩＧ−Ｂチャネルの各境界面が完全に一致しない場合があるが、対応される２０ＭＨｚ周波数帯域を基準にして説明すると、第１の周波数帯域に対応される第２の制御フィールド１９２１、１９３１は、第１／第３の周波数帯域に対応される２個のデータフィールド１９４１、１９４３に対応される。また、第２の周波数帯域に対応される第２の制御フィールド１９２２、１９３２は、第２／第４の周波数帯域に対応される２個のデータフィールド１９４２、１９４４に対応される。
【０１６４】
図２０は、８０ＭＨｚ送信のために使われるＳＩＧ−Ｂの一例を示す。
【０１６５】
図２０の一例は、図１９の一例をより具体化した一例を提案する。図２０に示すように、ＳＩＧ−Ｂは、共通フィールド２０１０及びユーザ−特定フィールド２０２０を含む。また、ＳＩＧ−Ｂの共通フィールド２０１０及びユーザ−特定フィールド２０２０は、各々、２０ＭＨｚチャネルに相応する４個の周波数帯域２０４１、２０４２、２０４３、２０４４に対応される４個のフィールドを含む。図２０において、４個に区分されたＳＩＧ−Ｂフィールドは、各々、第１乃至第４のシグナルフィールドなどの多様な名称で呼ばれる。
【０１６６】
図２０のように、２０ＭＨｚ帯域単位で区分される場合、第１の周波数帯域２０４１に相応するＳＩＧ−Ｂは、第１及び第３の周波数帯域のデータフィールドにマッピングされ、第２の周波数帯域２０４２に相応するＳＩＧ−Ｂは、第２及び第４の周波数帯域のデータフィールドにマッピングされることが好ましい。また、第１の周波数帯域２０４１に相応するＳＩＧ−Ｂが複製されて第３の周波数帯域２０４３に相応するＳＩＧ−Ｂが構成されることができ、第２の周波数帯域２０４２に相応するＳＩＧ−Ｂが複製されて第４の周波数帯域２０４４に相応するＳＩＧ−Ｂが構成されることができる。
【０１６７】
図２０を参照すると、第１の周波数帯域２０４１に相応する共通フィールドは、ＲＵ  ｓｉｇｎａｌｌｉｎｇ  ｆｉｅｌｄを含み、これは第１及び第３の周波数帯域に相応するデータフィールドのために使われる。図２０に示す各々のＲＵ  ｓｉｇｎａｌｌｉｎｇ  ｆｉｅｌｄは、２０ＭＨｚを基準にして一つのｌｏｏｋ−ｕｐ  ｔａｂｌｅで構成されることができる。第１の周波数帯域２０４１に相応する共通フィールドは、２個の周波数帯域に相応するデータフィールドに対応されるため、２個のＲＵ  ｓｉｇｎａｌｌｉｎｇ  ｆｉｅｌｄが同時に送信されることができる。２個のＲＵ  ｓｉｇｎａｌｌｉｎｇ  ｆｉｅｌｄのうち、１番目のフィールドは、第１の周波数帯域２０４１に相応するデータフィールドを指示し、２番目のフィールドは、第３の周波数帯域２０４３に相応するデータフィールドを指示し、
同じ技術的特徴は、第２の周波数帯域２０４２に相応するＳＩＧ−Ｂにも適用される。即ち、第２の周波数帯域２０４２に相応するＳＩＧ−Ｂは、第２及び第４の周波数帯域２０４２、２０４４に相応するデータフィールドのための２個のＲＵ  ｓｉｇｎａｌｌｉｎｇ  ｆｉｅｌｄを含むことができる。
【０１６８】
２個のＲＵ  ｓｉｇｎａｌｉｎｇ  ｆｉｅｌｄは、各々、独立的に２個が存在せずに、一つの統合（ｕｎｉｆｉｅｄ）されたｌｏｏｋ−ｕｐ  ｔａｂｌｅに対応されることができる。即ち、不連続的な４０ＭＨｚの割当を指示することができるように設計されることも可能である。
【０１６９】
前述したように、第１及び第２の周波数帯域に相応するＳＩＧ−Ｂは、第３及び第４の周波数帯域上に複製されることが好ましい。
【０１７０】
前述した一例は、多様に変形されることができる。例えば、ＲＵルックアップテーブル及びＲＵ  ｓｉｇｎａｌｌｉｎｇ  ｆｉｅｌｄに対しては、以下で説明する追加的な技術的特徴が適用されることができる。
【０１７１】
例えば、２０ＭＨｚの帯域に相応するＲＵが、２６−ＲＵ、５２−ＲＵ、１０６−ＲＵ（または、２４２−ＲＵ、ａｇｇｒｅｇａｔｅされた４８４−ＲＵ、９９６−ＲＵ）の組み合わせで構成されることができる。その場合、組み合わせの個数が３２個以下である場合、５ビット情報を介してＲＵルックアップテーブルを構成することができる。その場合、１０６−ＲＵまたはそれ以上のＲＵに対してのみＭＵ−ＭＩＭＯ技法を使用することに設定する場合、１０６−ＲＵの割当に対しては略１２個程度の場合が存在する。即ち、３ビットまたは４ビットのＭＵ−ＭＩＭＯ指示子（即ち、ＭＵ−ＭＩＭＯ  ｆｉｅｌｄ）を追加使用すると、２０ＭＨｚに対する、１）ＲＵの組み合わせに対する情報、及び２）ＭＵ−ＭＩＭＯが適用されるＲＵに対する情報までもシグナリングできる。
【０１７２】
その場合、ＭＵ−ＭＩＭＯ技法に関連したシグナルは、下記のように具体化されることができる。
【０１７３】
例えば、５ビット情報により指示されるＲＵの組み合わせに１０６−ＲＵが含まれる場合、３ビットまたは４ビットのＭＵ−ＭＩＭＯ指示子（即ち、ＭＵ−ＭＩＭＯ  ｆｉｅｌｄ）は、下記のように具体化されることができる。
【０１７４】
１）３ビットＭＵ−ＭＩＭＯ指示子：１０６−ＲＵに多重化（ｍｕｌｔｉｐｌｅｘｉｎｇ）されることができる総８名のユーザＳＴＡを指示することができる。例えば、ユーザの総数を指示することが可能である。具体的に、“０００”の場合は１名、“１１１”の場合は総８名のユーザＳＴＡが該当１０６−ＲＵにＭＵ−ＭＩＭＯ技法によって多重化されたことを指示することができる。即ち、ＭＵ−ＭＩＭＯ技法が適用されたという点と、ＭＵ−ＭＩＭＯ技法によって多重化されるユーザＳＴＡの数を同時に指示することができる。
【０１７５】
例えば、５ビット情報により指示されるＲＵの組み合わせに２個の１０６−ＲＵが含まれる場合、ＭＵ−ＭＩＭＯ指示子（即ち、ＭＵ−ＭＩＭＯ  ｆｉｅｌｄ）は、下記のように具体化されることができる。
【０１７６】
２）４ビットＭＵ−ＭＩＭＯ指示子
まず、２ビットずつ各１０６−ＲＵに多重化されるユーザＳＴＡを指示することができる。その場合、各１０６−ＲＵに多重化されることができるユーザの数の組み合わせが制限されることができ、例えば、下記のように構成されることができる。
【０１７７】
ａ）１番目の１０６−ＲＵに対する２ビットは、４個のユーザＳＴＡを指示し、２番目の１０６−ＲＵに対する２ビットは、４個のユーザＳＴＡを指示することができる。
【０１７８】
ｂ）４ビット情報で表現される１６個の場合の数を使用して各１０６−ＲＵに割り当てられることができるユーザＳＴＡの組み合わせを指示することができる。
【０１７９】
−Ｅ．ｇ．（２、６）、（４、４）、（８、８）、．．．
３ビット情報で表現される１６個の場合の数を使用して各１０６−ＲＵに割り当てられることができるユーザＳＴＡの組み合わせを指示することができる。
【０１８０】
−Ｅ．ｇ．（２、６）、（４、４）、（８、８）．．．
図２１は、本実施例が適用されることができる無線装置を示すブロック図である。
【０１８１】
図２１を参照すると、無線装置は、前述した実施例を具現することができるＳＴＡであって、ＡＰ２１００または非ＡＰ  ＳＴＡ（ｎｏｎ−ＡＰ  ｓｔａｔｉｏｎ）である。前記無線装置は、前述したユーザに対応され、または前記ユーザに信号を送信する送信装置に対応されることがきる。
【０１８２】
ＡＰ２１００は、プロセッサ２１１０、メモリ２１２０及びＲＦ部（ｒａｄｉｏ  ｆｒｅｑｕｅｎｃｙ  ｕｎｉｔ）２１３０を含む。
【０１８３】
ＲＦ部２１３０は、プロセッサ２１１０と連結して無線信号を送信／受信することができる。
【０１８４】
プロセッサ２１１０は、本明細書で提案された機能、過程及び／または方法を具現することができる。例えば、プロセッサ２１１０は、前述した本実施例による動作を実行することができる。即ち、プロセッサ２１１０は、図１乃至図２０の実施例で開示された動作中、ＡＰが実行することができる動作を実行することができる。
【０１８５】
非ＡＰ  ＳＴＡ２１５０は、プロセッサ２１６０、メモリ２１７０及びＲＦ部（ｒａｄｉｏ  ｆｒｅｑｕｅｎｃｙ  ｕｎｉｔ）２１８０を含む。
【０１８６】
ＲＦ部２１８０は、プロセッサ２１６０と連結して無線信号を送信／受信することができる。
【０１８７】
プロセッサ２１６０は、本実施例で提案された機能、過程及び／または方法を具現することができる。例えば、プロセッサ２１６０は、前述した本実施例によるｎｏｎ−ＡＰ  ＳＴＡ動作を実行するように具現されることができる。プロセッサは、図１乃至図２０の実施例でｎｏｎ−ＡＰ  ＳＴＡの動作を実行することができる。
【０１８８】
プロセッサ２１１０、２１６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ２１２０、２１７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部２１３０、２１８０は、無線信号を送信及び／または受信する一つ以上のアンテナを含むことができる。
【０１８９】
実施例がソフトウェアで具現される時、前述した技法は、前述した機能を遂行するモジュール（過程、機能など）で具現されることができる。モジュールは、メモリ２１２０、２１７０に格納され、プロセッサ２１１０、２１６０により実行されることができる。メモリ２１２０、２１７０は、プロセッサ２１１０、２１６０の内部または外部にあり、よく知られた多様な手段でプロセッサ２１１０、２１６０と連結されることができる。
【図１】
0006484711.tif 000002
【図２】
0006484711.tif 000003
【図３】
0006484711.tif 000004
【図４】
0006484711.tif 000005
【図５】
0006484711.tif 000006
【図６】
0006484711.tif 000007
【図７】
0006484711.tif 000008
【図８】
0006484711.tif 000009
【図９】
0006484711.tif 000010
【図１０】
0006484711.tif 000011
【図１１】
0006484711.tif 000012
【図１２】
0006484711.tif 000013
【図１３】
0006484711.tif 000014
【図１４】
0006484711.tif 000015
【図１５】
0006484711.tif 000016
【図１６】
0006484711.tif 000017
【図１７】
0006484711.tif 000018
【図１８】
0006484711.tif 000019
【図１９】
0006484711.tif 000020
【図２０】
0006484711.tif 000021
【図２１】
0006484711.tif 000022